(57)【要約】【課題】開口部を有するカバーが、タッチ操作可能なタッチスクリーンが配置される面を被覆可能となるようカバーを取り付け可能な携帯端末の操作性をいっそう向上させる技術を提供する。【解決手段】携帯端末１００は、タッチスクリーンがタッチ操作を受け付ける範囲のうち、カバー２００の携帯端末１００への取り付け時における開口部２１０の位置に対応する一定範囲（窓領域１０５Ａ）を記憶する。携帯端末１００は、タッチスクリーンがカバー２００により覆われている閉状態を検知した場合に、窓領域１０５Ａのタッチ操作の感度を、非窓領域１０５Ｂと比較して高感度とする。携帯端末１００は、タッチスクリーンがカバー２００により覆われていない開状態となった場合に、タッチスクリーンに対してタッチ操作に反応する領域を、表示部の全領域に戻す。【選択図】図１
2017138889.tif 000002
【特許請求の範囲】
【請求項１】
開口部を有するカバーが、タッチ操作可能なタッチスクリーンが配置される面を被覆可能となるよう前記カバーを取り付け可能な携帯端末であって、
前記タッチスクリーンがタッチ操作を受け付ける範囲のうち、前記カバーの前記携帯端末への取り付け時における前記開口部の位置に対応する一定範囲を記憶するように構成された記憶部と、
前記携帯端末の動作を制御するように構成された制御部とを備え、
前記制御部は、
前記タッチスクリーンが前記カバーにより覆われている第１の状態を検知する検知部と、
前記第１の状態を検知した場合に、前記一定範囲のタッチ操作の感度を、他の範囲と比較して高感度とする感度設定部とを含む、携帯端末。
【請求項２】
前記記憶部は、前記第１の状態における前記一定範囲のタッチ操作の感度の設定、および、前記タッチスクリーンが前記カバーにより覆われていない第２の状態における前記タッチスクリーンのタッチ操作の感度の設定とを記憶するように構成されており、
前記感度設定部は、前記記憶部に記憶される設定に基づいて、前記第１の状態および前記第２の状態における前記タッチスクリーンの感度を設定するように構成されている、請求項１に記載の携帯端末。
【請求項３】
前記携帯端末は、前記タッチスクリーンが配置される面と同一の面に配置されるカメラをさらに備え、
前記制御部は、
前記タッチスクリーンに、前記開口部の範囲を判定するための判定用画像を表示させ、
前記第１の状態で前記タッチスクリーンを鏡面に対向させて前記カメラにより撮影することを促す通知をし、
前記カメラによる撮影結果に基づいて前記開口部の位置に対応する前記一定範囲を検出するように構成されている、請求項１または２に記載の携帯端末。
【請求項４】
前記制御部は、
アプリケーションを実行することにより、前記第１の状態において、前記アプリケーションの実行に対応した表示を前記一定範囲に行うように構成されており、
前記感度設定部は、前記一定範囲のうち、タッチ操作による入力操作を前記第１の状態において受け付けるアプリケーションに対応した範囲のタッチ操作を有効とし、タッチ操作による入力操作を前記第１の状態において受け付けないアプリケーションに対応した範囲のタッチ操作を無効とするよう前記一定範囲のタッチ操作の感度を設定する、請求項１から３のいずれか１項に記載の携帯端末。
【請求項５】
前記制御部は、前記一定範囲の位置及び大きさを調整するための調整操作を前記タッチスクリーンにより受付可能に構成されており、
前記第１の状態において、前記調整操作を、前記一定範囲において受け付け、第２の状態において、前記調整操作を、前記タッチスクリーンがタッチ操作を受け付ける範囲のうち前記一定範囲外において受け付けるように構成されている、請求項１から４のいずれか１項に記載の携帯端末。
【請求項６】
開口部を有するカバーが、タッチ操作可能なタッチスクリーンが配置される面を被覆可能となるよう前記カバーを取り付け可能な携帯端末の動作の制御方法であって、
前記携帯端末は、前記タッチスクリーンがタッチ操作を受け付ける範囲のうち、前記カバーの前記携帯端末への取り付け時における前記開口部の位置に対応する一定範囲を記憶するように構成された記憶部を含み、
前記制御方法は、
前記携帯端末が、前記タッチスクリーンが前記カバーにより覆われている被覆状態を検知するステップと、
前記携帯端末が、前記被覆状態を検知した場合に、前記一定範囲のタッチ操作の感度を、他の範囲と比較して高感度に設定するステップとを含む、制御方法。
【請求項７】
開口部を有するカバーが、タッチ操作可能なタッチスクリーンが配置される面を被覆可能となるよう前記カバーを取り付け可能な携帯端末の動作を制御するためのプログラムであって、
前記携帯端末は、プロセッサと、前記タッチスクリーンがタッチ操作を受け付ける範囲のうち、前記カバーの前記携帯端末への取り付け時における前記開口部の位置に対応する一定範囲を記憶するように構成されたメモリとを含み、
前記プログラムは、前記プロセッサに、
前記タッチスクリーンが前記カバーにより覆われている被覆状態を検知するステップと、
前記被覆状態を検知した場合に、前記一定範囲のタッチ操作の感度を、他の範囲と比較して高感度に設定するステップとを実行させる、プログラム。
【発明の詳細な説明】
【技術分野】
【０００１】
本開示は、タッチ操作により入力操作を受け付ける携帯端末に関し、特に、タッチ操作を受け付けるためのタッチスクリーンを保護しつつ操作性を向上させる技術に関する。
【背景技術】
【０００２】
携帯端末（例えば、スマートフォンなど）は、高性能化および軽量化が進み、ますます普及している。近年の携帯端末は、人間の直観的な操作を可能とするため、タッチスクリーンを備えてユーザの入力操作を受け付けるものが増加している。ユーザが携帯端末を使用するにつれてタッチスクリーンにキズが増えてくると、タッチスクリーンに表示される情報の視認性が悪化することにもつながる。そのため、ユーザは、携帯端末の操作性を維持するため、保護シート（例えば透明なフィルム）をタッチスクリーンに貼り付けて使用することがある。
【０００３】
例えば、特開２０１３−１７５１０９号公報（下記の特許文献１）は、タッチパネル機能が搭載された携帯端末において、保護シートの有無や種類などに影響されることなく、最適なタッチパネル感度を容易に設定する技術について記載している。特許文献１の技術は、具体的には、保護シートがタッチパネルに貼り付けられている場合に、保護シートに覆われるタッチパネル部分がタッチ操作された際のタッチパネルの検出信号と、保護シートに覆われず露出するタッチパネル部分がタッチ操作された際のタッチパネルの検出信号との信号に基づいて、タッチパネルの検知感度を設定することが記載されている。
【０００４】
また、携帯端末を落下時の衝撃等から保護するため、携帯端末に装着することができるカバーが提供されている。ユーザは、自身が使用している携帯端末の機種に対応したカバーを選択して携帯端末に装着する。
【０００５】
カバーを製作する事業者により、様々なカバーが市場に提供されている。特に、携帯端末の落下等により衝撃が加わってタッチスクリーンの破損を招いた場合、タッチスクリーンに表示される情報の視認性が悪化するため、近年は、タッチ操作可能なタッチスクリーンが配置される面を被覆可能なカバーを携帯端末に装着するユーザも増加している。ユーザは、例えば、ブックカバータイプのカバーを携帯端末に装着することにより、本を保護するブックカバーのように、携帯端末のタッチスクリーンが配置された前面および背面を落下の衝撃等から保護することができる。
【０００６】
このようなブックカバータイプのカバーには、開口部が形成されているものもある。開口部は、カバーがタッチスクリーンを覆う状態でタッチスクリーンに重ねられる。これにより、カバーがタッチスクリーンにより覆われている状態であっても、ユーザは、開口部における表示内容を確認したり、開口部に対してタッチ操作を行ったりすることができる。
【０００７】
以下では、カバーが携帯端末のタッチスクリーンを覆っている状態を「閉状態」ともいう。カバーが携帯端末のタッチスクリーンを覆っていない状態を「開状態」ともいう。閉状態において開口部の位置に対応するタッチスクリーンの領域を「窓領域」ともいう。携帯端末のタッチスクリーンの領域内において窓領域以外の領域を「非窓領域」ともいう。
【先行技術文献】
【特許文献】
【０００８】
【特許文献１】特開２０１３−１７５１０９号公報
【発明の概要】
【発明が解決しようとする課題】
【０００９】
カバーが携帯端末のタッチスクリーンを覆う閉状態においては、ユーザは、通常、開口部に対応する窓領域に表示される内容に対してタッチ操作を行うことを意図する。しかし、携帯端末が閉状態において、開口部以外の領域である非窓領域の部分でユーザのタッチ操作をタッチスクリーンが誤検出してしまうと、ユーザが意図しない操作が携帯端末に対してなされる可能性がある。そのため、開口部を有するカバーが携帯端末のタッチスクリーンを覆う閉状態において、ユーザの操作性をいっそう向上させる技術が必要とされている。
【００１０】
本開示は上述のような問題点を解決するためになされたものであって、ある局面における目的は、開口部を有するカバーが、タッチ操作可能なタッチスクリーンが配置される面を被覆可能となるようカバーを取り付け可能な携帯端末の操作性をいっそう向上させることである。
【課題を解決するための手段】
【００１１】
一実施形態によると、開口部を有するカバーが、タッチ操作可能なタッチスクリーンが配置される面を被覆可能となるようカバーを取り付け可能な携帯端末が提供される。携帯端末は、タッチスクリーンがタッチ操作を受け付ける範囲のうち、カバーの携帯端末への取り付け時における開口部の位置に対応する一定範囲を記憶するように構成された記憶部と、携帯端末の動作を制御するように構成された制御部とを備える。制御部は、タッチスクリーンがカバーにより覆われている第１の状態を検知する検知部と、第１の状態を検知した場合に、一定範囲のタッチ操作の感度を、他の範囲と比較して高感度とする感度設定部とを含む。
【００１２】
他の実施形態によると、開口部を有するカバーが、タッチ操作可能なタッチスクリーンが配置される面を被覆可能となるようカバーを取り付け可能な携帯端末の動作の制御方法が提供される。この携帯端末は、タッチスクリーンがタッチ操作を受け付ける範囲のうち、カバーの携帯端末への取り付け時における開口部の位置に対応する一定範囲を記憶するように構成された記憶部を含む。制御方法は、携帯端末が、タッチスクリーンがカバーにより覆われている被覆状態を検知するステップと、携帯端末が、被覆状態を検知した場合に、一定範囲のタッチ操作の感度を、他の範囲と比較して高感度に設定するステップとを含む。
【００１３】
他の実施形態によると、開口部を有するカバーが、タッチ操作可能なタッチスクリーンが配置される面を被覆可能となるようカバーを取り付け可能な携帯端末の動作を制御するためのプログラムが提供される。携帯端末は、プロセッサと、タッチスクリーンがタッチ操作を受け付ける範囲のうち、カバーの携帯端末への取り付け時における開口部の位置に対応する一定範囲を記憶するように構成されたメモリとを含む。プログラムは、プロセッサに、タッチスクリーンがカバーにより覆われている被覆状態を検知するステップと、被覆状態を検知した場合に、一定範囲のタッチ操作の感度を、他の範囲と比較して高感度に設定するステップとを実行させる。
【発明の効果】
【００１４】
一実施形態によると、開口部を有するカバーが、タッチ操作可能なタッチスクリーンが配置される面を被覆可能となるようカバーを取り付け可能な携帯端末において、カバーがタッチスクリーンを覆う場合に、開口部以外でのタッチ操作の誤検出を抑制することができ、携帯端末の操作性をいっそう向上させることができる。
【００１５】
本発明の上記および他の目的、特徴、局面および利点は、添付の図面と関連して理解される本発明に関する次の詳細な説明から明らかとなるであろう。
【図面の簡単な説明】
【００１６】
【図１】窓領域１０５Ａの設定操作およびタッチパネルの感度の設定の一例を時系列で示す図である。
【図２】携帯端末１００の機能的な構成の一例を示す図である。
【図３】携帯端末１００の主要なハードウェア構成を示すブロック図である。
【図４】携帯端末１００が、タッチスクリーン１１１のタッチ感度の設定をする処理を示すフローチャートである。
【図５】携帯端末１００のタッチスクリーンが開状態であるか否かに応じて、タッチスクリーンの窓領域および非窓領域のタッチ感度を調整する処理を示すフローチャートである。
【図６】携帯端末１００がインカメラを使用して窓領域１０５Ａを設定する処理の概要を示す図である。
【図７】実施の形態２の携帯端末１００がインカメラを使用して窓領域１０５Ａを設定する処理を示すフローチャートである。
【図８】第３の実施の形態の携帯端末１００が、窓領域に表示するアプリケーションのタッチ操作の感度の設定を受け付ける処理を示すフローチャートである。
【図９】実施の形態４の携帯端末１００が、窓領域の位置および大きさ、窓領域に表示するアプリケーションの位置および大きさの調整をユーザから受け付ける処理を示すフローチャートである。
【発明を実施するための形態】
【００１７】
以下、図面を参照しつつ、本実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００１８】
＜技術思想＞
まず、以下の実施形態において具体的に説明する技術の技術思想を説明する。例えばスマートフォンのように、タッチスクリーンを備える携帯端末がある。この携帯端末を物理的な衝撃やホコリの付着等から保護するため、タッチスクリーンが配置される面を被覆可能となるよう、例えばブックカバータイプのカバーを携帯端末に取り付け可能であるとする。これらのカバーには、開口部となる小窓を有するものがある。この開口部には、例えば薄いプラスチック面、ガラス質の保護シートなどの保護部材が設けられていることがあり、カバーが携帯端末のタッチスクリーンを覆う場合に、カバーの材質では保護されていない開口部のタッチスクリーンを、汚れやホコリから保護する。
【００１９】
通常、この開口部付きのカバーは、携帯端末に装着した場合に、カバーがタッチスクリーンを覆う閉状態において、開口部の部分にユーザにとって有用な情報を表示して、タッチスクリーンによってユーザが操作可能となることを意図して製作されている。しかし、カバーの素材によっては、カバーを携帯端末に装着してタッチスクリーンを覆う閉状態であっても、開口部以外の部分でタッチスクリーンがユーザのタッチ操作を誤検出してしまい、ユーザの操作に支障をきたすおそれがある。また、開口部に設けられた保護部材の材質によっては、ユーザが開口部の部分でタッチスクリーンにタッチ操作をしたとしても、保護部材の厚みや素材の影響を受けて、タッチスクリーンへのタッチ操作の感度を低下させてしまう可能性もあり、ユーザの操作に支障をきたすおそれがある。
【００２０】
そこで、本実施形態に示す携帯端末は、開口部を有するカバーがタッチスクリーンを覆う閉状態において、タッチスクリーンがタッチ操作を受け付ける範囲のうち、カバーの携帯端末への取り付け時における開口部の位置に対応する一定範囲（窓領域）を設定等により記憶している。携帯端末は、タッチスクリーンがカバーにより覆われている閉状態を検知した場合に、この一定範囲（窓領域）のタッチ操作の感度を、他の範囲（非窓領域）と比較して高感度とする（例えば、窓領域のタッチ操作の感動を高める、非窓領域のタッチ操作の感度を低くする等の設定を携帯端末が行う）。このように構成することで、携帯端末は、非窓領域（小窓以外の部分）で、ユーザのタッチ操作の誤検出を抑制することができ、窓領域（小窓の部分）を介したタッチ操作の操作性を向上させることができる。
【００２１】
また、本実施形態に示す携帯端末は、カバーが開けられて、タッチスクリーンがカバーにより覆われていない開状態であることを検知すると、タッチスクリーンにおけるタッチ操作の感度を、タッチスクリーンがタッチ操作を受け付ける範囲の全体に戻す。
【００２２】
ユーザは、携帯端末を、開状態にしたうえで（カバーをタッチスクリーンから外した状態で）、タッチスクリーン全体に対してタッチ操作を行うこともある。そのため、ユーザは、タッチスクリーンのホコリ付着等を防止するため、タッチスクリーンに保護フィルム等の保護部材を貼り付けることがある。この場合、携帯端末にブックカバータイプのカバーを装着すると、カバーを装着した状態で、開口部に設けられた保護部材の上からタッチスクリーンに対してユーザがタッチ操作をすることになる。そのため、本実施形態の携帯端末は、カバーを開状態としているか閉状態としているかに応じてタッチスクリーンの感度を調整することで、ユーザが意図しない誤動作を抑止する。このように、開口部以外（小窓以外）の部分でのタッチ操作の誤検出が発生しにくくなるため、開口部を介したタッチ操作の操作性をいっそう向上させることができる。
【００２３】
＜第１の実施の形態＞
第１の実施の形態の携帯端末について説明する。携帯端末は、窓領域に表示されるアプリケーションをユーザが操作可能とするために、事前の設定として、タッチスクリーンの感度の設定を行う。
【００２４】
（１）  携帯端末は、タッチスクリーンに対して、画面を保護するための保護シートなどの保護部材が貼り付けられている時のタッチ操作の感度を調整する。具体的には、携帯端末は、ユーザの入力操作を受け付けて、タッチ操作の感度を設定する。
【００２５】
（２）  携帯端末は、開口部を有するカバーがタッチスクリーンを覆うよう、携帯端末が閉状態となった時の、窓領域におけるタッチスクリーンの感度の設定を、例えばユーザの入力操作に応じて行う。また、携帯端末は、タッチスクリーンがタッチ操作を受け付ける範囲のうち、窓領域以外の範囲である非窓領域へのタッチ操作が無効となるよう、非窓領域のタッチ操作の感度を設定する。これによりカバーによりタッチスクリーンが覆われている状態において、タッチスクリーンへのタッチ操作でユーザが意図しない誤操作が起きることを抑止する。
【００２６】
（３）  携帯端末が閉状態における窓領域および非窓領域のタッチ感度の設定をメモリに記憶する。
【００２７】
このように構成することで、携帯端末は、閉状態になったことを検知した場合に、窓領域および非窓領域のタッチ操作の感度の設定を有効にする。これにより、窓領域へのタッチ操作は、最適なタッチスクリーンの感度で受け付けることができ、非窓領域のタッチ操作が無効化されるので、ユーザが意図しない誤動作を抑止することができる。
【００２８】
［窓領域の設定］
図１を参照して、第１の実施の形態に従う携帯端末１００の概要について説明する。図１は、窓領域１０５Ａの設定操作およびタッチパネルの感度の設定の一例を時系列で示す図である。
【００２９】
図１には、スマートフォンとしての携帯端末１００が示されているが、携帯端末１００は、スマートフォンに限定されない。たとえば、携帯端末１００は、タブレット端末、ファブレット(Phablet)、デジタルカメラ、電子辞書、ＰＤＡ（Personal  Digital  Assistant）、ゲーム機、またはその他の表示部を備える携帯機器であってもよい。
【００３０】
携帯端末１００は、表示部１０５を備える。表示部１０５には、後述するタッチパネル１０６（図４参照）が重ねられている。表示部１０５とタッチパネル１０６とにより、タッチスクリーンが構成される。携帯端末１００は、表示部１０５に対するユーザのタッチ操作をタッチパネル１０６により検出する。ユーザは、表示部１０５に対するタッチ操作で携帯端末１００を操作することができる。
【００３１】
携帯端末１００には、カバー２００が装着され得る。カバー２００には、開口部２１０が設けられている。ステップ（Ａ）に示されるように、カバー２００の開状態においては、カバー２００は、表示部１０５を覆わない。
【００３２】
ステップ（Ｂ）において、カバー２００がユーザによって閉じられたとする。カバー２００の閉状態において、カバー２００の開口部２１０は、表示部１０５に重ねられる。その結果、ユーザは、カバー２００を閉じた状態であっても、開口部２１０に対応する表示部分に対してはタッチ操作を行うことができる。
【００３３】
ステップ（Ｃ）において、携帯端末１００は、表示部１０５の表示領域内で窓領域１０５Ａの設定操作を受け付ける。ある局面において、ユーザは、開口部２１０における表示領域を指でなぞる操作により窓領域１０５Ａを設定する。他の局面において、ユーザは、開口部２１０における表示領域に対して、ピンチインまたはピンチアウトなどの操作を行うことにより窓領域１０５Ａを設定する。携帯端末１００は、窓領域１０５Ａの設定操作を受け付けると、窓領域１０５Ａの位置を記憶する。
【００３４】
ステップ（Ｄ）において、携帯端末１００は、カバー２００の閉状態において、表示部１０５の表示領域内における窓領域１０５Ａ以外の非窓領域１０５Ｂのタッチパネル１０６の感度を、窓領域１０５Ａのタッチパネルの感度よりも低くするよう設定する。例えば、携帯端末１００は、閉状態における窓領域１０５Ａのタッチパネル１０６の感度を、開状態と比較して高くする。また、例えば、携帯端末１００は、閉状態において、非窓領域１０５Ｂのタッチパネル１０６の感度を、タッチ操作が無効となるよう設定する。ユーザは、カバー２００が閉じられた状態であっても、窓領域１０５Ａにおける表示内容を確認したり、窓領域１０５Ａに対してタッチ操作を行ったりすることができる。
【００３５】
窓領域１０５Ａの設定後においては、携帯端末１００は、カバー２００の閉状態を検知する度に、非窓領域１０５Ｂのタッチパネル１０６の感度を、窓領域１０５Ａのタッチパネル１０６の感度よりも下げる。このように、ユーザは、窓領域１０５Ａの設定後には、窓領域１０５Ａを再度設定する必要はない。
【００３６】
なお、図１には窓領域１０５Ａが矩形である例が示されているが、窓領域１０５Ａは、矩形に限定されない。たとえば、窓領域１０５Ａは、円形、楕円形、多角形、またはその他の閉形状であってもよい。円形の窓領域１０５Ａを設定するための操作例として、携帯端末１００は、表示部１０５の一点の長押し操作を検知し、当該一点を中心とする予め定められた範囲を窓領域１０５Ａとして検知する。
【００３７】
また、図１には、窓領域１０５Ａが１つだけ設定される例が示されているが、携帯端末１００は、複数の窓領域１０５Ａの設定を受け付けてもよい。
【００３８】
［携帯端末１００の機能構成］
図２を参照して、携帯端末１００の機能について説明する。図２は、携帯端末１００の機能的な構成の一例を示す図である。
【００３９】
図２に示されるように、携帯端末１００は、ハードウェア構成として、ＣＰＵ（Central  Processing  Unit）１０２と、ＲＡＭ（Random  Access  Memory）１０３とを備える。ＣＰＵ１０２は、機能構成として、検知部１５０と、受付部１５５と、感度制御部１６０とを含む。
【００４０】
検知部１５０は、カバー２００（図１参照）の閉状態を検知する。閉状態の検知方法としては、様々な検知方法が採用され得る。一例として、検知部１５０は、後述する磁気センサ１０７からの出力値に基づいてカバー２００の閉状態を検知する。より具体的には、携帯端末１００およびカバー２００にはそれぞれ磁石が設けられており、カバー２００が閉じられた状態で互いの磁石は接触する。磁気センサ１０７の出力値は、磁石同士の接触により生じる磁気の変化に応じて変化する。検知部１５０は、磁気センサ１０７の出力値が一定時間内に所定量以上変化した場合に、カバー２００の閉状態を検知する。
【００４１】
受付部１５５は、検知部１５０によってカバー２００の閉状態が検知されたことに基づいて、窓領域１０５Ａ（図１参照）の設定操作を受け付ける。受付部１５５は、設定された窓領域１０５Ａの範囲情報１０３ＡをＲＡＭ１０３に格納する。
【００４２】
感度制御部１６０は、カバー２００の閉状態時において、窓領域１０５Ａの範囲情報１０３Ａを参照し、表示部１０５内における窓領域１０５Ａの範囲と非窓領域１０５Ｂ（図１参照）の範囲とを特定し、非窓領域１０５Ｂのタッチパネル１０６の感度を窓領域１０５Ａのタッチパネル１０６の感度よりも下げる。好ましくは、非窓領域１０５Ｂにおけるタッチパネル１０６の感度を無効化する。感度制御部１６０は、窓領域１０５Ａの位置やサイズに応じたコンテンツを窓領域１０５Ａに表示する。より具体的には、窓領域の位置やサイズと表示対象のコンテンツの種類とは、テーブルとして予め関連付けられている。表示対象のコンテンツは、たとえば、時計や画像などを含む。感度制御部１６０は、設定された窓領域１０５Ａのサイズおよび位置に対応付けられているコンテンツを特定し、当該コンテンツを窓領域１０５Ａに表示する。
【００４３】
なお、感度制御部１６０が窓領域１０５Ａのタッチパネル１０６の感度および非窓領域１０５Ｂのタッチパネル１０６の感度の設定を変更するタイミングは、カバー２００の閉状態が検知されたタイミングに限定されない。たとえば、カバー２００の閉状態時において携帯端末１００の電源ボタンが押下されたタイミングで、感度制御部１６０は、範囲情報１０３Ａに従って、窓領域１０５Ａのタッチパネル１０６の感度を比較的高くし、非窓領域１０５Ｂのタッチパネル１０６の感度を比較的低くしてもよい。他にも、カバー２００の閉状態時において窓領域１０５Ａにおけるタッチ操作が検知されたタイミングで、感度制御部１６０は、窓領域１０５Ａのタッチパネル１０６の感度および非窓領域１０５Ｂのタッチパネル１０６の感度を範囲情報１０３Ａに従って設定してもよい。
【００４４】
［携帯端末１００のハードウェア構成］
図３を参照して、携帯端末１００のハードウェア構成の一例について説明する。図３は、携帯端末１００の主要なハードウェア構成を示すブロック図である。図３に示されるように、携帯端末１００は、ＲＯＭ（Read  Only  Memory）１０１と、ＣＰＵ１０２と、ＲＡＭ１０３と、表示部１０５と、タッチパネル１０６と、磁気センサ１０７と、ネットワークインターフェイス１０８と、カメラ１１３と、記憶装置１２０とを含む。タッチスクリーン１１１は、表示部１０５とタッチパネル１０６とにより構成される。
【００４５】
ＲＯＭ１０１は、携帯端末１００のオペレーティングシステムなどを格納する。
ＣＰＵ１０２は、携帯端末１００のオペレーティングシステムや携帯端末１００の制御プログラム１２２などの各種プログラムを実行することで、携帯端末１００の動作を制御する。
【００４６】
ＲＡＭ１０３は、ワーキングメモリとして機能し、制御プログラム１２２の実行に必要な各種データを一時的に格納する。一時的に格納されるデータは、たとえば、窓領域１０５Ａの範囲情報１０３Ａを含む。窓領域１０５Ａの範囲情報１０３Ａは、制御プログラム１２２の実行時に記憶装置１２０などから読み出され、ＲＡＭ１０３に書き込まれる。なお、範囲情報１０３Ａの格納場所は、ＲＡＭ１０３に限定されない。たとえば、範囲情報１０３Ａは、ＲＯＭ１０１、記憶装置１２０、携帯端末１００以外の他の通信端末などに格納されていてもよい。
【００４７】
表示部１０５は、タッチパネル１０６に重ねられている。これにより、携帯端末１００は、ユーザのタッチ操作を受け付けることができる。タッチパネル１０６は、ユーザによってタッチされた表示部１０５の位置を座標値としてＣＰＵ１０２に出力する。
【００４８】
磁気センサ１０７は、携帯端末１００の磁石１０７Ａの近傍に設けられている。磁気センサ１０７は、周囲の磁界の大きさを検知し、検知した磁界の大きさをＣＰＵ１０２に出力する。ＣＰＵ１０２は、カバー２００の磁石２２０が携帯端末１００の磁石１０７Ａに近付くと磁界の大きさが変化することを利用して、磁気センサ１０７からの出力値が所定値以上変化したことに基づいてカバー２００の閉状態を検知する。
【００４９】
ネットワークインターフェイス１０８は、アンテナ１０８Ａを介して、他の通信機器との間でデータを送受信する。他の通信機器は、たとえば、サーバ、その他の通信装置などを含む。携帯端末１００は、アンテナ１０８Ａを介して、本実施の形態に従う制御プログラム１２２をダウンロードできるように構成されてもよい。
【００５０】
カメラ１１３は、ＣＰＵ１０２の制御に応じて撮影することにより画像信号を出力する。
【００５１】
記憶装置１２０は、たとえば、ｅＭＭＣ（Embedded  Multi  Media  Card）などの記憶媒体である。一例として、記憶装置１２０は、本実施の形態に従う制御プログラム１２２を格納する。
【００５２】
なお、制御プログラム１２２は、単体のプログラムとしてではなく、任意のプログラムの一部に組み込まれて提供されてもよい。この場合、任意のプログラムと協働して本実施の形態に従う処理が実現される。このような一部のモジュールを含まないプログラムであっても、本実施の形態に従う携帯端末１００の趣旨を逸脱するものではない。さらに、本実施の形態に従う制御プログラム１２２によって提供される機能の一部または全部は、専用のハードウェアによって実現されてもよい。さらに、携帯端末１００とサーバとが協働して、本実施の形態に従う処理を実現するようにしてもよい。さらに、少なくとも１つのサーバが本実施の形態に従う処理を実現する、所謂クラウドサービスの形態で携帯端末１００が構成されてもよい。
【００５３】
このように、携帯端末１００のＲＡＭ１０３は、閉状態における、窓領域となる一定範囲のタッチ操作の感度の設定、および、タッチスクリーン１１１がカバー２００により覆われていない開状態におけるタッチスクリーン１１１のタッチ操作の感度の設定とを記憶する。感度制御部１６０は、ＲＡＭ１０３に記憶される設定に基づいて、閉状態および開状態におけるタッチスクリーン１１１の感度を設定するように構成されている。
【００５４】
［携帯端末１００の制御構造］
図４および図５を参照して、携帯端末１００の制御構造について説明する。図４は、携帯端末１００が、タッチスクリーン１１１のタッチ感度の設定をする処理を示すフローチャートである。図４の処理は、携帯端末１００のＣＰＵ１０２（図２参照）がプログラムを実行することにより実現される。他の局面において、処理の一部または全部が、回路素子またはその他のハードウェアによって実行されてもよい。
【００５５】
ステップＳ４０１において、ＣＰＵ１０２は、タッチスクリーン１１１をカバーが覆う場合の窓領域の範囲を取得する。例えば、ＣＰＵ１０２は、窓領域の範囲を検出するための処理を行うこと、ＲＡＭ１０３に記憶される範囲情報１０３Ａを読み出すこと、既に市場に流通している既知のカバーの形状をユーザが指定する入力操作を受け付けること等により、窓領域の範囲を取得する。
【００５６】
ステップＳ４０３において、ＣＰＵ１０２は、ユーザが携帯端末１００に装着したカバーの種類の指定を受け付ける。例えば、ＣＰＵ１０２は、ユーザが、タッチスクリーン１１１を覆うタイプのカバーを携帯端末１００に装着したか否かの指定を受け付ける。ユーザが指定したカバーが、タッチスクリーン１１１を覆うタイプのものである場合（ステップＳ４０３においてＹＥＳ）、ＣＰＵ１０２は、ステップＳ４０５の処理を行い、そうでない場合（ステップＳ４０３においてＮＯ）、処理を終了する。ＣＰＵ１０２は、ステップＳ４０１でユーザがカバーの形状を指定する入力操作を受け付けた場合、指定されたカバーの形状に応じてステップＳ４０５の処理を行うか（ステップＳ４０３においてＹＥＳ）、処理を終了する（ステップＳ４０３においてＮＯ）。
【００５７】
ステップＳ４０５において、ＣＰＵ１０２は、窓領域に表示するアプリケーションを選択する操作をユーザから受け付ける。
【００５８】
ステップＳ４０７において、ＣＰＵ１０２は、タッチスクリーン１１１を保護する保護シートをユーザがタッチスクリーン１１１に貼り付けている場合に、タッチ操作の感度を調整する処理を行う。例えば、ＣＰＵ１０２は、タッチスクリーン１１１に保護シートを貼り付けているか否かの指定をユーザから受け付けて、ユーザが保護シートをタッチスクリーン１１１に貼り付けている場合に、タッチ操作の感度の調整が必要か否かの指定をユーザから受け付ける。タッチ操作の感度の調整が必要である場合、ＣＰＵ１０２は、タッチ操作の感度をユーザが調整するための画面表示をタッチスクリーン１１１に行い、ユーザの操作を受け付けることで、保護シートをタッチスクリーン１１１に装着している場合のタッチ操作の感度を調整する。
【００５９】
ステップＳ４０９において、ＣＰＵ１０２は、タッチスクリーン１１１をカバーが覆う場合のタッチ操作の感度を調整する処理を行う。例えば、ＣＰＵ１０２は、カバーによりタッチスクリーン１１１を覆う閉状態にするようタッチスクリーン１１１への画面表示等によりユーザに通知する。ＣＰＵ１０２は、カバーによってタッチスクリーン１１１が覆われたことを検知部１５０が検知するまでは、カバーによってタッチスクリーン１１１を覆うよう促す通知をする。ＣＰＵ１０２は、カバーによってタッチスクリーン１１１が覆われたことを検知部１５０が検知すると、カバーによってタッチスクリーン１１１が覆われている閉状態において、ユーザの操作を窓領域によって受け付ける。ＣＰＵ１０２は、閉状態においてタッチ操作の感度をユーザが調整するための画面表示をタッチスクリーン１１１（特に、窓領域）により行い、ユーザの操作を受け付けることで、窓領域および非窓領域のタッチ操作の感度を調整する。
【００６０】
ステップＳ４１１において、ＣＰＵ１０２は、タッチスクリーン１１１における窓領域の範囲（位置および大きさ）を調整する入力操作をユーザから受け付けて、ユーザの操作に応じて窓領域の範囲を調整して、調整結果を、ＲＡＭ１０３の範囲情報１０３Ａとして格納する。
【００６１】
図５は、携帯端末１００のタッチスクリーンが開状態であるか否かに応じて、タッチスクリーンの窓領域および非窓領域のタッチ感度を調整する処理を示すフローチャートである。ＣＰＵ１０２は、図５に示す処理を、例えば周期的に行う。
【００６２】
ステップＳ５０１において、ＣＰＵ１０２は、携帯端末１００の表示部１０５を点灯しているか否かを判断する。ＣＰＵ１０２は、表示部１０５を点灯している場合、ステップＳ５０３の処理を行い、そうでない場合は処理を終了する。
【００６３】
ステップＳ５０３において、ＣＰＵ１０２は、検知部１５０の検知結果に基づいて、タッチスクリーンがカバーによっておおわれている閉状態であるか否かを判定する。閉状態であると判定される場合（ステップＳ５０３においてＹＥＳ）、ＣＰＵ１０２は、ステップＳ５０５の処理を行い、そうでない場合（ステップＳ５０３においてＮＯ）、ステップＳ５０７の処理を行う。
【００６４】
ステップＳ５０５において、ＣＰＵ１０２は、範囲情報１０３Ａに示される窓領域の範囲と非窓領域の範囲とに基づいて、カバーによりタッチスクリーンが覆われている場合のタッチ感度をタッチスクリーンに設定する。これにより携帯端末１００は、カバー２００の閉状態において、表示部１０５の表示領域内における窓領域１０５Ａ以外の非窓領域１０５Ｂのタッチパネル１０６の感度を、窓領域１０５Ａのタッチパネルの感度よりも低くするよう設定する。
【００６５】
ステップＳ５０７において、ＣＰＵ１０２は、タッチスクリーンがカバーで覆われていない場合のタッチ感度をタッチスクリーンに設定する。
【００６６】
ＣＰＵ１０２は、表示部１０５の点灯をオフにしている状態（例えば、携帯端末１００が、ユーザの入力操作を制限する操作ロックモードを有効にし、消費電力節減のために画面表示をオフにしている場合）で、ユーザが入力操作を行うために画面表示をオンにする操作をした場合（ユーザが携帯端末１００の電源ボタンやホームボタンを押下する、音声認識アシスタントを起動するための音声入力を行うなど）に、ステップＳ５０３以降の処理を行うこととしてもよい。
【００６７】
＜第２の実施の形態＞
以下、第２の実施の形態の携帯端末１００について説明する。第２の実施の形態の携帯端末１００は、インカメラとして機能するカメラ１１３を使用して、カバー２００がタッチスクリーン１１１を覆う場合の窓領域を検出する。
【００６８】
図６および図７を参照して、第２の実施形態の携帯端末１００が窓領域を設定する処理を説明する。
【００６９】
図６は、携帯端末１００がインカメラを使用して窓領域１０５Ａを設定する処理の概要を示す図である。
【００７０】
状態（Ａ）に示されるように、カバー２００の開状態においては、カバー２００は、表示部１０５を覆わない。また、携帯端末１００は、インカメラとして機能するカメラ１１３を備える。実施の形態２の携帯端末１００は、筐体の中心軸に沿った位置にインカメラとして機能するカメラ１１３を配置しているが、配置箇所は筐体の中心軸に沿った位置に限られない。
【００７１】
状態（Ｂ）に示されるように、カバー２００がユーザによって閉じられたとする。この状態において、カメラ１１３による撮影が可能となるよう、カバー２００には、カメラ１１３の位置に対応する開口部（カメラ窓）が設けられている。
【００７２】
状態（Ｃ）は、インカメラとして機能するカメラ１１３を使用して開口部２１０の形状を検出するために、携帯端末１００の表示部１０５に表示するテストパターンの例を示す。状態（Ｃ）では、携帯端末１００は、テストパターンとして、グリッド状の画像を表示部１０５に表示する。携帯端末１００は、カバー２００によってタッチスクリーン１１１が覆われた状態（閉状態）で、表示部１０５にテストパターンを表示し、ユーザに対し、鏡面（例えば立て鏡、壁掛け鏡などの鏡）に向かってカメラ１１３を使用してカバー２００を撮影するよう通知する。ユーザが、カバー２００を閉じた閉状態で、開口部２１０およびインカメラとして機能するカメラ１１３を鏡面に向けてカメラ１１３により撮影するとする。
【００７３】
状態（Ｄ）は、カバー２００を閉じた閉状態で状態（Ｃ）に示すテストパターンを表示部１０５に表示した状態で、鏡面に向かってカメラ１１３によって撮影した撮影画像１１５を示す。
【００７４】
撮影画像１１５には、カバー２００を撮影した結果であるカバー画像２００Ａが含まれる。カバー画像２００Ａには、開口部２１０に対応する開口部画像２１０Ａ、カメラ１１３の開口部に対応するカメラ開口部画像１１３Ａが含まれる。携帯端末１００は、開口部画像２１０Ａの縦方向のサイズである縦サイズ２１０Ｈと、開口部画像２１０Ａの横方向のサイズである横サイズ２１０Ｗと、開口部画像２１０Ａとカメラ開口部画像１１３Ａとの距離である配置間隔１１７とを撮影画像１１５に基づき算出する。携帯端末１００のサイズおよびカメラ１１３の配置箇所が既知であるため、携帯端末１００は、撮影画像１１５に対する画像認識によって特定した開口部画像２１０Ａ、カメラ開口部画像１１３Ａ、縦サイズ２１０Ｈ、横サイズ２１０Ｗ、配置間隔１１７などの情報に基づいて、窓領域の形状を特定する。携帯端末１００は、タッチスクリーン全体における窓領域の縦横サイズ、縦横サイズの比率、窓領域の形状を、撮影画像１１５に基づき特定することができる。
【００７５】
このように、携帯端末１００は、タッチスクリーン１１１が配置される面と同一の面に配置されるカメラ１１３を備える。ＣＰＵ１０２は、タッチスクリーン１１１に、開口部２１０の範囲を判定するための判定用画像（テストパターン）を表示させる。ＣＰＵ１０２は、閉状態でタッチスクリーン１１１を鏡面に対向させてカメラ１１３により撮影することを促す通知をする。ＣＰＵ１０２は、カメラ１１３による撮影結果に基づいて開口部２１０の位置に対応する一定範囲（窓領域）を検出するように構成されている。
【００７６】
図７は、実施の形態２の携帯端末１００がインカメラを使用して窓領域１０５Ａを設定する処理を示すフローチャートである。ＣＰＵ１０２は、図７に示す処理を、例えば、カバー２００がタッチスクリーン１１１を覆う閉状態にあることを検知して、ユーザが窓領域１０５Ａを設定するための入力操作に応答して行う。
【００７７】
ステップＳ７０１において、ＣＰＵ１０２は、インカメラを起動し、鏡面にインカメラを向けるようユーザに音声出力等により通知する。
【００７８】
ステップＳ７０３において、ＣＰＵ１０２は、インカメラから出力される画像信号を取得し、画像認識によりカメラ１１３の位置に対応した開口部がカバー２００にあるか否かを判定する。例えば、ＣＰＵ１０２は、画像信号を画像認識した結果、エッジ等の輪郭を検出できない場合は、カメラ１１３の開口部がカバー２００に設けられておらず、カメラ１１３の位置に対応した開口部がない（カメラ用の窓がない）と判定して（ステップＳ７０３においてＮＯ）処理を終了し、エッジ等の輪郭を検出した場合は、カメラ１１３の位置に対応した開口部がカバー２００にあると判定し（ステップＳ７０３においてＹＥＳ）、ステップＳ７０５の処理を行う。
【００７９】
ステップＳ７０５において、ＣＰＵ１０２は、インカメラから出力される画像信号に基づいて、カバー画像２００Ａと、タッチスクリーンに表示されるテストパターンである開口部画像２１０Ａとを画像認識により区別する認識率が一定以上となるよう、タッチスクリーンに表示するテストパターンの模様、配色を逐次切り替えてタッチスクリーンに表示する。
【００８０】
ステップＳ７０７において、ＣＰＵ１０２は、ユーザの指示に応じて、または、カバー画像２００Ａと、テストパターンが示される開口部画像２１０Ａとを区別して認識できる確率が一定以上となったことを検出して、インカメラによる撮影を行い、撮影画像をメモリに記憶する。
【００８１】
ステップＳ７０９において、ＣＰＵ１０２は、（１）携帯端末１００のサイズ（横幅、高さなど）、携帯端末１００におけるカメラ１１３の配置箇所を読み込み、（２）ステップＳ７０７で得られる撮影画像１１５に基づいて、開口部画像２１０Ａの形状（窓領域の形状）、テストパターンの位置を認識し、（３）テストパターンに示されるグリッドの位置、読み込んだ携帯端末１００のサイズ、カメラ１１３の位置等の情報に基づいて、開口部２１０（窓領域）の位置と大きさを特定し、特定した窓領域の位置と大きさとをメモリに記憶する。
【００８２】
このように、表示部にテストパターンとしてグリッド状の画像を表示し、カバーを携帯端末１００に取り付けた状態で、鏡面に向かってユーザがインカメラでユーザ自身を撮影する（自分撮り）ことで、携帯端末１００は、撮影画像から特定されるグリッドに基づいて、カバー２００に形成される開口部２１０（窓領域）の形状を特定する。携帯端末１００は、カバーの色に応じて、表示部に表示するテストパターンの模様や配色を変更することで、インカメラの撮影画像に基づく窓領域の特定の精度を高めることができる。これにより、携帯端末１００は、カバー２００に形成される様々な形状の開口部２１０に対応して、窓領域を検出することができる。携帯端末１００は、ユーザがカバー２００を変更し、開口部２１０の形状およびカバー２００の配色とが変更されたとしても、変更後のカバー２００に対応した窓領域を、カバー２００の変更に応じて設定することができる。
【００８３】
＜第３の実施の形態＞
第３の実施の形態の携帯端末１００は、カバー２００を閉じた閉状態において、開口部２１０（窓領域）に表示するアプリケーション（１つ以上のアプリケーション）を設定することができる。携帯端末１００は、窓領域に表示する各アプリケーションに対して、タッチ操作の感度を設定することができる。これにより、誤動作の可能性をいっそう低減することができる。窓領域に表示するアプリケーションには、例えば、時刻を表示するアプリケーション、カレンダーを表示するアプリケーション、ストップウォッチ機能を発揮するアプリケーション、電話発信用のアプリケーション、天気情報を表示するアプリケーション、占い情報を表示するアプリケーション、位置情報を表示するアプリケーション、ニュース情報を表示するアプリケーションなど様々なものがある。
【００８４】
このように、携帯端末１００は、アプリケーションを実行することにより、閉状態において、アプリケーションの実行に対応した表示を、窓領域となる一定範囲に行うように構成されている。感度制御部１６０は、窓領域となる一定範囲のうち、タッチ操作による入力操作を閉状態において受け付けるアプリケーションに対応した範囲のタッチ操作を有効とし、タッチ操作による入力操作を閉状態において受け付けないアプリケーションに対応した範囲のタッチ操作を無効とするよう、窓領域となる一定範囲のタッチ操作の感度を設定する。
【００８５】
図８は、第３の実施の形態の携帯端末１００が、窓領域に表示するアプリケーションのタッチ操作の感度の設定を受け付ける処理を示すフローチャートである。
【００８６】
ステップＳ８０１において、ＣＰＵ１０２は、窓領域に表示するアプリケーションのうち、タッチ操作が不要なアプリケーションを特定する。
【００８７】
ステップＳ８０３において、ＣＰＵ１０２は、窓領域に表示するアプリケーションのうち、タッチ操作を無効化するアプリケーションの指定をユーザから受け付ける。
【００８８】
ステップＳ８０５において、ＣＰＵ１０２は、ステップＳ８０１で特定されたアプリケーション、ステップＳ８０３でユーザにより指定されたアプリケーションが表示される範囲のタッチ操作を無効化するようタッチ操作の感度を設定する。
【００８９】
＜第４の実施の形態＞
第４の実施の形態の携帯端末１００は、窓領域の位置およびサイズ、また、窓領域に表示されるアプリケーションの位置およびサイズを調整することができる。
【００９０】
例えば、窓領域におけるアプリケーションの位置及びサイズをユーザが調整可能とするために、携帯端末１００は、アプリケーションを示す画像（アイコン画像）の周囲に、位置を調整するためのアイコン画像（例えば、矢印を示す画像）と、サイズを調整するためのアイコン画像（例えば、サイズを大きくすることを示す「＋」画像、サイズを小さくすることを示す「−」画像）とを表示する。また、携帯端末１００は、窓領域の位置およびサイズをユーザが調整可能とするためのアイコン画像をタッチスクリーン１１１に表示する。
【００９１】
ここで、実施の形態４の携帯端末１００は、これら窓領域の位置およびサイズ、また、窓領域に表示されるアプリケーションの位置およびサイズを調整するための各種画像を、カバー２００によりタッチスクリーン１１１を覆う閉状態においては、窓領域内に表示し、カバー２００がタッチスクリーン１１１を覆っていない開状態においては、非窓領域に表示する。これにより、ユーザの操作性を向上させる。
【００９２】
このように、携帯端末１００は、窓領域となる一定範囲の位置及び大きさを調整するための調整操作をタッチスクリーン１１１により受付可能に構成されている。携帯端末１００は、閉状態において、この調整操作を、窓領域となる一定範囲において受け付け、開状態において、この調整操作を、タッチスクリーン１１１がタッチ操作を受け付ける範囲のうち窓領域となる一定範囲外（非窓領域）において受け付けるように構成されている。
【００９３】
図９は、実施の形態４の携帯端末１００が、窓領域の位置および大きさ、窓領域に表示するアプリケーションの位置および大きさの調整をユーザから受け付ける処理を示すフローチャートである。例えば、ＣＰＵ１０２は、図３に示すステップＳ３１１において、図９に示す処理を行う。
【００９４】
ステップＳ９０１において、ＣＰＵ１０２は、窓領域内に表示するアプリケーションの位置および大きさの調整が必要か否かのユーザの指定を受け付け、調整が必要である場合（ステップＳ９０１においてＹＥＳ）、ステップＳ９０３の処理を行い、そうでない場合（ステップＳ９０１においてＮＯ）、ステップＳ９０９の処理を行う。
【００９５】
ステップＳ９０３において、ＣＰＵ１０２は、カバー２００がタッチスクリーン１１１を覆っていることを検知部１５０が検知しているか否かを判断する。ＣＰＵ１０２は、カバー２００がタッチスクリーン１１１を覆っている閉状態であると検知した場合（ステップ９０３においてＹＥＳ）、ステップＳ９０５の処理を行い、そうでない場合（ステップＳ９０３においてＮＯ）、ステップＳ９０７の処理を行う。
【００９６】
ステップＳ９０５において、ＣＰＵ１０２は、窓領域内に表示するアプリケーションの位置および大きさを調整するためのユーザインターフェース（調整用のアイコンなど）を窓領域内に表示して、ユーザによる調整を受け付ける。
【００９７】
ステップＳ９０７において、ＣＰＵ１０２は、窓領域内に表示するアプリケーションの位置および大きさを調整するためのユーザインターフェースを、非窓領域に表示して、ユーザによる調整を受け付ける。
【００９８】
ステップＳ９０９において、ＣＰＵ１０２は、窓領域の位置および大きさの調整が必要か否かのユーザの指定を受け付け、調整が必要である場合（ステップＳ９０９においてＹＥＳ）、ステップＳ９１１の処理を行い、そうでない場合（ステップＳ９０９においてＮＯ）、処理を終了する。
【００９９】
ステップＳ９１１において、ＣＰＵ１０２は、カバー２００がタッチスクリーン１１１を覆っていることを検知部１５０が検知しているか否かを判断する。ＣＰＵ１０２は、カバー２００がタッチスクリーン１１１を覆っている閉状態であると検知した場合（ステップ９１１においてＹＥＳ）、ステップＳ９１３の処理を行い、そうでない場合（ステップＳ９１１においてＮＯ）、ステップＳ９１５の処理を行う。
【０１００】
ステップＳ９１３において、ＣＰＵ１０２は、窓領域の位置および大きさを調整するためのユーザインターフェースを窓領域内に表示して、ユーザによる調整を受け付ける。
【０１０１】
ステップＳ９１５において、ＣＰＵ１０２は、窓領域の位置および大きさを調整するためのユーザインターフェースを、非窓領域に表示して、ユーザによる調整を受け付ける。
【０１０２】
本実施の形態を構成する各装置は、プロセッサと、その上で実行されるプログラムにより実現される。本実施の形態を実現するプログラムは、通信インタフェースを介してネットワークを利用した送受信等により提供される。
【０１０３】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１０４】
１００，１００Ａ  携帯端末、１０１  ＲＯＭ、１０１Ａ  点灯時間、１０１Ｂ  開閉閾値、１０２  ＣＰＵ、１０３  ＲＡＭ、１０３Ａ  範囲情報、１０３Ｂ  開閉回数、１０５  表示部、１０５Ａ  窓領域、１０５Ｂ  非窓領域、１０６  タッチパネル、１０７  磁気センサ、１０７Ａ，２２０  磁石、１０８  ネットワークインターフェイス、１０８Ａ  アンテナ、１１３  カメラ、１１１  タッチスクリーン、１２０  記憶装置、１２２  制御プログラム、１５０  検知部、１５５  受付部、１６０  表示制御部、１６５  カウント部、２００  カバー、２１０  開口部。
【図１】
2017138889.tif 000003
【図２】
2017138889.tif 000004
【図３】
2017138889.tif 000005
【図４】
2017138889.tif 000006
【図５】
2017138889.tif 000007
【図６】
2017138889.tif 000008
【図７】
2017138889.tif 000009
【図８】
2017138889.tif 000010
【図９】
2017138889.tif 000011